(57)【特許請求の範囲】
【請求項１】
カードに記録されたＩＤコードの照合により、管理エリアへの出入を許可又は不許可とする出入管理システムであって、
前記管理エリア内にあって、前記カードを収納する複数のカード収納部と、前記収納部にカードを収納するとカードからＩＤコードを読取るＩＤコード読取手段と、収納したカードのＩＤコードを外部に出力する収納情報出力手段とを有するカード管理装置と、
前記カード管理装置に収納中であるカードのＩＤコードでは、当該ＩＤコードが照合されたとしても前記カード管理装置のある前記管理エリアへの出入を不許可とする出入管理装置とから構成される出入管理システム。
【請求項２】
カードに記録されたＩＤコードの照合により、管理エリアへの出入を許可又は不許可とする出入管理システムであって、
前記管理エリアは一般エリアと、前記一般エリアを通過しなければ到達できない重要エリアとからなり、  前記カードのＩＤコードには、前記いずれかの管理エリアの管理エリアコードを含んでおり、
前記一般エリア内にあって、前記カードを収納する複数のカード収納部と、前記収納部にカードを収納するとカードからＩＤコードを読取るＩＤコード読取手段と、
前記一般エリア用カードのカード収納部と前記重要エリア用のカードのカード収納部の対応関係と、各カード収納部に収納可能なカードの照合用ＩＤコードとを記憶する記憶部と、
前記カード収納部にて読み取ったＩＤコードと前記記憶部に記憶している照合用ＩＤコードとを照合し、一致していれば当該カードを取り出し不能にするとともに、前記対応関係に基づき他のカード収納部に収納されているカードを取り出し可能とする制御部を有するカード管理装置と、
前記カードに記録されたＩＤコードの照合により前記各管理エリアへの出入を許可又は不許可を判定する出入管理装置とから構成される出入管理システム。
【請求項３】
前記出入管理装置は、一般エリア用のカードでは、一般エリアから重要エリアへの出入を不許可とし、重要エリア用カードでは、一般エリアから管理エリア外への出入を不許可とする請求項２の出入管理システム。
【請求項４】
前記カード管理装置は、更に外部へ警報を報知する警報報知部を有し、前記制御部は、収納中のカードのＩＤコードを所定時間毎に前記照合用ＩＤコードと照合し、不一致であるときは前記警報報知部から報知する請求項１又は３の出入管理システム。

【発明の詳細な説明】
【０００１】
【発明の属する技術分野】
本発明は、複数種類のカード又は鍵を管理するカード／鍵管理装置に関し、カード等を取出すには別のカード等を保管させなければならないようにしたカード／鍵管理装置に関する。
【０００２】
【従来の技術】
従来、建物内を一般エリアと重要エリアとに区分し、各エリアごとに利用者を制限する出入管理装置がある。例えば、ビルに入館が許可される者全てが使用する一般エリアと、金庫室などセキュリティ精度の高い場所であって責任者のみが利用できる重要エリアを設けている場合である。
【０００３】
従来の出入管理装置では、例えば、建物の利用者に照合用のカードを付与し、一般エリアのみ利用可能な人と、一般エリアと重要エリアの両方を利用可能な人とをグループに分けて、カードに記憶しているＩＤコード中のグループコードによって、当該カードにて利用できるエリアを制限していた。
【０００４】
また、利用者は不注意によりカードを紛失することがあった。この場合、出入管理装置では、カードを紛失したことを登録し、拾得者が紛失したカードを使用して、建物へ出入することを防止している。
【０００５】
【発明が解決しようとする課題】
しかし、利用者がカードの紛失に気が付くのが遅れると、カードの紛失から紛失の登録までに長時間を要するので、この間に第三者が紛失したカードを使用して不正に建物へ侵入するおそれがある。特に、利用者が重要エリアへの出入に使用可能なカードを紛失すると、第三者の不正侵入による被害も大きくなる。
【０００６】
そこで、本発明は、特に重要エリアへの出入可能なカードを利用者が建物内から外部へ持ち出せないようにすることでカードの紛失の危険性をなくし、カードの不正利用による被害を防止する出入管理システムを提供することを目的としている。また、複数エリアのカード又は鍵の同時取出しを不可能にするセキュリティ精度の高いカード管理装置又は鍵管理装置の実現を目的とする。
【０００７】
【課題を解決するための手段】
かかる課題を解決するために、第一の発明は、カードに記録されたＩＤコードの照合により、管理エリアへの出入を許可又は不許可とする出入管理システムであって、前記管理エリア内にあって、前記カードを収納する複数のカード収納部と、前記収納部にカードを収納するとカードからＩＤコードを読取るＩＤコード読取手段と、収納したカードのＩＤコードを外部に出力する収納情報出力手段とを有するカード管理装置と、前記カード管理装置に収納中であるカードのＩＤコードでは、当該ＩＤコードが照合されたとしても前記カード管理装置のある前記管理エリアへの出入を不許可とする出入管理装置とから構成される出入管理システムを提供する。
【０００８】
これにより、例え、カードが不正複製されても、正規のカードをカード管理装置に収納させているかぎり、不正カードによる管理領域への出入を防止できる。
【０００９】
また、第二の発明は、カードに記録されたＩＤコードの照合により、管理エリアへの出入を許可又は不許可とする出入管理システムであって、前記管理エリアは一般エリアと、前記一般エリアを通過しなければ到達できない重要エリアとからなり、前記カードのＩＤコードには、前記いずれかの管理エリアの管理エリアコードを含んでおり、前記一般エリア内にあって、前記カードを収納する複数のカード収納部と、前記収納部にカードを収納するとカードからＩＤコードを読取るＩＤコード読取手段と、前記一般エリア用カードのカード収納部と前記重要エリア用のカードのカード収納部の対応関係と、各カード収納部に収納可能なカードの照合用ＩＤコードとを記憶する記憶部と、前記カード収納部にて読み取ったＩＤコードと前記記憶部に記憶している照合用ＩＤコードとを照合し、一致していれば当該カードを取り出し不能にするとともに、前記対応関係に基づき他のカード収納部に収納されているカードを取り出し可能とする制御部を有するカード管理装置と、前記カードに記録されたＩＤコードの照合により前記各管理エリアへの出入を許可又は不許可を判定する出入管理装置とから構成される出入管理システムとから構成される出入管理システムを提供する。
【００１０】
例えば、同一の建物中に、前述したような一般エリアと一般エリアを通過しなければ到達できない重要エリアがある場合に、一般エリア用のカードと重要エリア用のカードとは、ＩＤコード中の管理エリアコードを異ならせることにより区別する。また、ＩＤコード中の利用者コードによりカードの利用者を特定する。この場合に、利用者は、自己が使用する一般エリア用のカードをカード管理装置に収納することで、重要エリア用のカードを取り出すことができる。逆にいうと、一般エリア用のカードを収納しない限り、重要エリア用のカードを取出すことができない。つまり、重要エリア用のカードが、カード管理装置に返却されない限り一般エリア用のカードを取り出せない。そして、一般エリア用のカードがカード管理装置に収納されている限り、当該利用者は外部に出ることができないのである。したがって、重要エリア用のカードを外に持ち出せないようになる。これにより、出入管理システムのセキュリティ精度が向上するのである。
【００１２】
また、外部へ警報を報知する警報報知部を設け、収納中のカードを所定時間毎に照合し、不一致であるときは前記警報報知部からその旨を報知させるカード管理装置とすると、収納されているカードの在／不在を監視でき、不正に抜き取られても迅速な対応が可能となる。更に、カードの収納情報を外部に出力する収納情報出力手段を設けてもよい。これにより、カードの収納状態を外部に伝達でき、出入管理装置との連携が容易に図れる。
【００１４】
【発明の実施の形態】
【実施例】
以下、図を参照して本発明を適用した出入管理装置を説明する。先ず、図１および図２を参照して、出入管理システムの全体構成を説明する。出入管理システムは、一般エリアＢと重要エリアＣとを有する管理対象Ａの出入管理を行うシステムである。なお、一般エリアＢと重要エリアＣの違いについては、後述する。
【００１５】
そして、出入管理システムには、一般エリアＢへ出入するためのカードＣＩと、重要エリアＣへ出入するためのカードＣＪの少なくとも２種類がある。本実施例では、カードをＩＣカードで実現しているが、磁気カードやホログラムカードなどにて実現してもよい。なお、本明細書では、カードＣＩおよびカードＣＪの区別をする必要がない場合に単に「カード」と記載している。出入管理システムは、一般エリアＢへの出入許可者の照合及び一般エリアＢへの出入口扉５の電気錠を制御する一般エリア用の出入管理装置２と、重要エリアＣへの出入許可者の照合及び重要エリアＣへの出入口扉６の電気錠を制御する重要エリア用の出入管理装置３と、一般エリア用カードＣＩおよび重要エリア用カードＣＪを保管管理するカード管理装置１と、カードの登録抹消，異常表示，カード管理装置１若しくは出入管理装置２、３間との通信制御などを行う中央監視装置４にて構成し、通信路によりこれらを相互に接続している。
【００１６】
一般エリア用出入管理装置２及び重要エリア用出入管理装置３には、各エリアの外部と内部に利用者のカードに記憶しているＩＤコードを読み出すカードリーダ２１、２２、及び、３１、３２がそれぞれ接続されている。なお、カードリーダ２１、２２、３１、３２は、出入管理システムの分野において、一般的に使用されているものであるから、詳細な説明を省略する。
【００１７】
次に、カード管理装置１を使用した管理対象Ａにおける出入管理システムの機器配置を説明する。ビル等の管理対象Ａには、管理対象Ａを利用する者すべてが利用可能な一般エリアＢと、重要書類の保管室や金庫室など特定者のみに利用を限定した重要エリアＣとがある。また、重要エリアＣへは、一般エリアＢを通過しなければ到達できない。一般エリアＢ及び重要エリアＣへの出入口扉５、６は、図示していない電気錠にて施錠状態に保持されている。また、一般エリアＢの出入口扉５の近傍には、一般エリアの外部に設置される外カードリーダ２２と、内部に設置される内カードリーダ２１、及び、これら内外カードリーダ２１、２２と電気錠を制御する一般エリアＢ用の出入管理装置２が設置されている。
【００１８】
また、重要エリアＣへの出入口扉６の近傍には、一般エリアＢ側に外カードリーダ３２、重要エリアＣ側に内カードリーダ３１、及び、これら内外カードリーダ３１、３２と電気錠を制御する重要エリア用Ｃの出入管理装置３が設置されている。そして、一般エリアＢに外から入るときには、必ず外カードリーダ２２に一般エリア用のカードＣＩを操作しなければ扉５の電気錠を解錠できず、一般エリアＢから外に出る場合には、内カードリーダ２１に一般エリア用のカードＣＩを操作しなければ扉５の電気錠を解錠できない。同様に、重要エリアＣへの出入にも、重要エリア用のカードＣＪにて外カードリーダ３２、内カードリーダ３１に操作しなければならない。なお、電気錠は、解錠されると所定時間（例えば、５秒）後に自動施錠される。一般エリアＢには、利用者の使用するカードを保管するカード管理装置１が配設されている。なお、中央監視装置４は、管理対象Ａ内の監視室に設置されている。但し、中央監視装置４は、専用回線や公衆回線などの通信回線を介して、管理対象Ａ外の遠隔地に配置してもよい。
【００１９】
カード管理装置１について詳細に説明する。図３は、カード管理装置１のブロック図である。カード管理装置１は、一般エリア用のカードＣＩまたは重要エリア用のカードＣＪを収納する複数のカードユニット１２と、異常表示や収納するカードの登録変更操作等を行うタッチパネル，ブザー等からなるコントロールパネル１３と、ＣＰＵ等によりカード管理装置１全体の制御を行う制御ユニット１１と、ＡＣ電源をＤＣ電源に変換し各ユニットに電源供給する電源ユニット１４とから構成される。制御ユニット１１は、中央監視装置４、一般エリア用出入管理装置２、重要エリア用出入管理装置３との通信制御を行う外部通信コントロール部１１１と、複数のカードユニット１２及びコントロールパネル１３との通信を行う内部通信コントロール部１１２と、保管するカードのＩＤコードやカード管理装置１のプログラム等を記憶する記憶部１１３と、カード管理装置１全体の制御処理を行うＭＰＵ等からなる中央処理部１１０から構成されている。記憶部１１３は、一般エリア用のカードＣＩを収納するカードユニット１２Ｂのアドレスと、当該カードＣＩと対をなす重要エリア用のカードＣＪを収納するカードユニット１２Ｃのアドレスとの対応関係をテーブル形式にて記憶している。更に、記憶部１１３は、各カードユニット１２毎に当該カードユニットに収納するカードのＩＤコードを記憶している。なお、ＩＤコードは、利用者コード及び管理エリアコードを含んで構成されている。ここで、対応関係とは、ＩＤコード中の利用者コードが共通であり管理エリアコードが異なるカードを収納するカードユニット相互の対応付けをいう。
【００２０】
カードユニット１２について、図４を参照して説明する。カードユニット１２は、制御ユニット１１との通信を行う内部通信コントロール部１２１と、カードユニット１２の制御プログラムやアドレス等を記憶している記憶部１２２と、挿入されたカードのデータを非接触にて読み出すリード部１２３と、カードの在／不在を検出するリミットスイッチであるカード在否検出部１２５と、挿入されたカードをロック及び排出を行うロック／排出部１２４と、これらの各部を制御する制御部１２０とから構成されている。本実施例の場合は、カードに非接触式のＩＣカードを使用しているので、リード部１２３は、ループアンテナや発信制御ユニットなどにて構成される。但し、カードは、ＩＣカードに限られるものではなく、磁気カード、光カード、ホログラム、鍵などを使用してもよい。この場合は、カードの種類に応じてリード部が異なるが、一般的な手段で構成すればよい。鍵にて構成する場合は、照合を物理的な構造にて行う関係上、鍵に合致するシリンダー錠を用いることとなる。
【００２１】
次に、図６を参照して、カード管理装置１におけるカード交換時の処理フローを説明する。カード管理装置１のカード交換処理について説明する。先ず、管理するカード情報等の登録を済ませ、出入管理システムが運用中であるとする。カード管理装置１は、カードの挿入の有無をカード在否検出部１２５にて監視している（Ｓ１）。カード在否検出部１２５が不在から在に変化すると、カード挿入操作があったと判断する。カード挿入操作があると、リード部１２３からカードに記憶されているカードデータを読み出す。カードユニット１２は、自己のアドレスと読み出したＩＤコードとを内部通信コントロール部１２１から制御ユニット１１に送信する。制御ユニット１１では、内部通信コントロール部１１２から当該ユニットのアドレス等を受信する。そして、記憶部１１３から読み出したカードユニット１２のアドレスに対応する照合用ＩＤコードと、受信したＩＤコードとを照合する（Ｓ２）。制御ユニット１１は、照合した結果が一致と判定すれば、ロック信号を内部通信コントロール部１１２からカードが挿入された当該カードユニット１２に対して送信する。また、記憶部１１３のテーブルを参照し、カードが挿入された当該カードユニット１２と対となるカードユニット１２に対して、内部通信コントロール部１１２からカードの排出信号を送出する。カードユニット１２では、内部通信コントロール部１２１からロック信号を受信すると、挿入されたカードをロック／排出部１２４にてロックする。一方、排出信号を受信すると、ロック／排出部１２４にて挿入されたカードを排出する（Ｓ３）。そして、挿入されたカードが保管中である旨、および、対となるカードを排出した旨を外部通信コントロール部１１１から各カードの収納状態を出入管理装置２、３および中央監視装置４に対して送信しステップ１へ戻り同様の処理を繰り返す（Ｓ４）。
【００２２】
一方、Ｓ２にて不一致である場合は、制御ユニット１１は、カードの排出信号を内部通信コントロール部１１２から当該カードユニット１２に対して送信する。また、内部通信コントロール部１１２からコントロールパネル１３に対して警告表示し（Ｓ５）、Ｓ１へ戻り同様の処理を繰り返す。
【００２３】
カードの収納状態を受信した出入管理装置２、３では、カード管理装置１に収納中のカードでは出入できないように登録する。即ち、出入管理装置２、３では、受信した収納中のカードにおけるＩＤコードに対して、解錠禁止フラグをセットすることにより、例え当該ＩＤコードの入力があっても電気錠を解錠しないようにする。また、中央監視装置４では、図示しない表示用モニタに、各カードの収納状態を表示する。
【００２４】
したがって、カード管理装置１には、同一の利用者コードを持つ、一般エリア用のカードＣＩ又は重要エリア用のカードＣＪどちらか一方が必ず収納された状態となる。なお、カードとカードユニットとは、一対一対応となっている。また、カードユニットの場所は正規の利用者のみが知っているので、正規の利用者でない者は、カードを対応するカードユニット１２に挿入するのは困難となる。また、他のカードユニットに挿入すると、ＩＤコードと照合用ＩＤコードとが一致せず、コントロールパネル１３に警告表示を行う。このため、複数のカードユニット１２を設けることで、カードの不正使用による脅威を減らすことができる。
【００２５】
次に、一般エリア用出入管理装置２及び重要エリア用出入管理装置３について図５を参照して説明する。図５は、出入管理装置２のブロック図である。出入管理装置２は、カードの照合結果や異常状態などを表示するＬＣＤからなる表示部２０１と、使用可能なカードの登録／抹消などを行うキースイッチ等からなる操作部２０２と、カードの照合用ＩＤコード、各種設定情報や動作プログラムなどを記憶する記憶部２０３と、内カードリーダ２１や外カードリーダ２２とのＩＤコード等の送受信を行うカードリーダ通信Ｉ／Ｆ２０４と、出入口扉５に設置される電気錠を制御するためのインターフェースである電気錠Ｉ／Ｆ２０５と、カード管理装置１、中央監視装置４、重要エリア用出入管理装置３との通信を行う外部通信Ｉ／Ｆ２０６から構成されている。
【００２６】
出入管理装置２は、原則として内カードリーダ２１又は外カードリーダ２２から入力されたカードデータが記憶部２０３に予め登録されている照合用カードデータとが一致すれば、電気錠Ｉ／Ｆ２０５から電気錠７を解錠制御し、所定時間後に施錠制御するように動作する。 但し、カード管理装置１からカード在情報を受信すると、当該カードの照合用カードデータが一致しても電気錠７を解錠しない。カード管理装置１に不正複製したカード（又は正規のカードＣＩ）を収納させ、正規のカードＣＩ（又は、不正複製したカード）にて、重要エリアＣ用のカードＣＪを持ち出すことを防止するためである。
【００２７】
重要エリア用出入管理装置３は、カードの照合用ＩＤコードが異なるのみであるので、説明を省略する。
【００２８】
次に、利用者が、管理対象Ａに入り一般エリアＢおよび重要エリアＣを利用するときの動作を説明する。前提として、一般エリアＢへの出入可能なカードＣＩは、利用者が所持している。また、重要エリアＣへの出入可能なカードＣＪは、カード管理装置１に収納されている。先ず、利用者が一般エリアＢに入る際は、利用者が所持している一般エリアＢ用カードＣＩを外カードリーダ２２に挿入操作する。そして、一般エリアＢ用出入管理装置２にて、挿入操作されたカードＣＩの照合を行なう。正当なカードＣＩと判定すると、出入口扉５の電気錠を解錠する。これによって、利用者は出入口扉５を開けて、一般エリアＢに入ることができる。なお、出入管理装置２では、電気錠を所定時間経過（例えば、１秒）後に施錠する。一方、一般エリア用のカードＣＩの代わりに、重要エリア用のカードＣＪで外カードリーダ２２が操作された場合は、正当でないカードで操作であるので、カードの照合結果がＮＧとなる。したがって、出入管理装置２が出入口扉５の電気錠を解錠することはない。このように、正規の利用者のみが一般エリアＢに入ることができる。
【００２９】
利用者が重要エリアＣに入る場合を説明する。利用者は、カード管理装置１に一般エリアＢ用のカードＣＩを収納させ、重要エリアＣ用のカードＣＪを取り出す。即ち、利用者は、カード管理装置１の自己に割り当てられているカードユニット１２に一般エリア用カードＣＩを挿入する。カード管理装置１では、挿入されたカードＣＩを照合し、重要エリアへの入室許可者として登録されたものであれば、挿入されたカードＣＩをロックするとともに、対となる重要エリアＣ用カードＣＪの排出処理をする。これにより、利用者は、重要エリアＣへの出入可能なカードＣＪを持つことができる。なお、カード管理装置１に収納された一般エリア用カードＣＩは、カード管理装置１にロックされて収納されたままになる。つまり、一般エリア用のカードＣＩは、重要エリア用のカードＣＪがカード管理装置１に返却収納されるまで取り出すことができない。利用者は、取り出した重要エリア用カードＣＪを出入管理装置３の外カードリーダ３２に操作する。出入管理装置３は、挿入されたカードＣＪの照合を行なう。正当なカードＣＪと判定すると、出入口扉６の電気錠を解錠する。これによって、利用者は出入口扉６を開けて、重要エリアＣに入ることができる。なお、出入管理装置３は、電気錠を所定時間経過（例えば、１秒）を待って施錠する。一方、仮に、一般エリア用のカードＣＩが操作された場合は、正当でないカードの操作なので、出入口扉６の電気錠を解錠することはない。したがって、正規の利用者のみが重要エリアＣに入ることができる。
【００３０】
次に、利用者が重要エリアＣから出る場合の動作を説明する。利用者は、重要エリアＣでの作業が終了すると、内カードリーダ３１に重要エリア用カードＣＪを操作する。出入管理装置３は、挿入されたカードの照合を行なう。正当なカードＣＪと判定すると、出入口扉６の電気錠を解錠する。これによって、利用者は出入口扉６を開けて、一般エリアＢに出ることができる。なお、出入管理装置３は、電気錠を所定時間経過（例えば、５秒）を待って施錠する。一方、仮に、重要エリア用のカードＣＪ以外のカードが操作された場合は、正当でないカードの操作なので、出入管理装置３は出入口扉６の電気錠を解錠することはない。したがって、重要エリアＣ用のカードＣＪを重要エリア内に忘れて、一般エリアＢに出ることはない。
【００３１】
次いで、利用者は、カード管理装置１に重要エリアＣ用のカードＣＪを収納させ、一般エリアＢ用のカードＣＩを取り出す。即ち、利用者は、カード管理装置１の自己に割り当てられているカードユニット１２に重要エリア用カードＣＪを挿入する。カード管理装置１では、挿入されたカードＣＪを照合し、登録されたものであれば、挿入されたカードＣＪをロックするとともに、対となる一般エリアＣ用のカードＣＩの排出処理をする。これにより、利用者は、一般エリアＢへの出入可能なカードＣＩを持つことができる。なお、カード管理装置１に収納された重要エリアＣ用のカードＣＪは、カード管理装置１にロックされて収納されたままになる。つまり、再度、一般エリアＢ用のカードＣＩがカード管理装置１に収納されるまで、重要エリアＣ用のカードＣＪは取出すことができない。
【００３２】
利用者が一般エリアＢから出る際は、利用者が所持している一般エリアＢ用カードＣＩを内カードリーダ２１に挿入操作する。そして、一般エリアＢ用出入管理装置２にて、挿入されたカードＣＩの照合を行なう。正当なカードＣＩと判定すると、出入口扉５の電気錠を解錠する。これによって、利用者は出入口扉５を開けて、一般エリアＢから出ることができる。なお、出入管理装置２では、電気錠を所定時間経過（例えば、５秒）後に施錠する。一方、重要エリア用のカードＣＪが内カードリーダ２１に挿入操作された場合は、正当でないカードの操作なので、出入口扉５の電気錠を解錠することはない。したがって、一般エリアＢから一般エリアＢ用のカードＣＩを持っている利用者のみが出ることができる。換言すると、カード管理装置１に重要エリアＣ用のカードＣＪが返却収納されている状態でないと、一般エリアＢから出ることができないのである。したがって、重要エリアＣ用のカードＣＪが一般エリアＢから持ち出されることがなくなり、カードの不正改ざん等をも防ぐことができる。
【００３３】
また、カード管理装置１にて、所定時間毎にカードユニット１２に収納されているカードデータを読み込み照合することにより、不正なカード挿入を迅速に検出し、警告報知が可能となり、更にセキュリティ精度が向上する。
【００３４】
また、本実施例では、ＩＣカードによる出入管理システムについて説明したが、鍵による場合も同様である。
【００３５】
【発明の効果】
利用者は、一般エリア用のカード／鍵又は重要エリア用のカード／鍵が、カード／鍵管理装置１に収納されているときのみ、対となっている他方のカード／鍵を取出し、及び使用が可能となるので、重要エリア用カード／鍵を一般エリアから外へ持ち出すことができない。したがって、重要エリア用のカード／鍵の紛失や、外部に持ち出し、不正に複製するなどができず、よりセキュリティ精度の高い出入管理を実現できる。
【００３６】
【図面の簡単な説明】
【図１】出入監視システムのシステム構成図
【図２】出入管理システムの配置レイアウト図
【図３】カード管理装置１のブロック図
【図４】カードユニット１２のブロック図
【図５】出入管理装置２、３のブロック図
【図６】カード管理装置１のカード交換時の処理フロー
【符号の説明】
１…カード管理装置
１１…制御ユニット
１２…カードユニット
１３…コントロールパネル
１４…電源ユニット
２…一般エリア用出入管理装置
３…重要エリア用出入管理装置
４…中央監視装置
【図１】
0004132418.tif 000002
【図２】
0004132418.tif 000003
【図３】
0004132418.tif 000004
【図４】
0004132418.tif 000005
【図５】
0004132418.tif 000006
【図６】
0004132418.tif 000007